(57)【要約】      （修正有）【課題】接地線を高架送電線に容易且つ安全に取り付けることができる接地線の取付装置と、高架送電線における接地線の取付方法を提供する。【解決手段】高架送電線における接地線の取付装置は、先端部に接地線を固定している接地棒と、この接地棒をセット可能な接地棒固定ガイドを備えている二連スライド梯子と、二連スライド梯子を固定可能な梯子固定用架台と、から成る。また、接地線の取付方法は、梯子固定用架台を回動させて起立させる工程と、梯子固定用架台へ二連スライド梯子を配置する工程と、先端部に接地線を固定している接地棒を二連スライド梯子の接地棒固定ガイドへセットする工程と、二連スライド梯子を伸ばし、接地棒を介して接地線を高架送電線に取り付ける工程と、梯子固定用架台が備えている振れ防止用鋼材を上方向に引き起こして接地棒の基端部側を捕縛する工程と、地上に配設している被接地金具に接地線の端部を接続する工程と、から成る。【選択図】図１
2008148441.tif 000002
【特許請求の範囲】
【請求項１】
先端部に接地線を固定している接地棒をセット可能な接地棒固定ガイドを備えている二連スライド梯子と、二連スライド梯子を固定可能な梯子固定用架台と、から成ることを特徴とする高架送電線における接地線の取付装置。
【請求項２】
先端部に接地線を固定している接地棒と、この接地棒をセット可能な接地棒固定ガイドを備えている二連スライド梯子と、二連スライド梯子を固定可能な梯子固定用架台と、から成ることを特徴とする高架送電線における接地線の取付装置。
【請求項３】
接地棒は、先端部にフックを備えている請求項１または２に記載の高架送電線における接地線の取付装置。
【請求項４】
梯子固定用架台は、二連スライド梯子を固定する梯子載架部と、接地棒の基端部側を捕縛するための振れ防止用鋼材を備えている請求項１または２に記載の高架送電線における接地線の取付装置。
【請求項５】
梯子固定用架台は、所定の高架送電線の下方に設置される固定支柱と、該固定支柱に対して、ウインチにより俯仰方向に回動可能である可動支柱と、から成る請求項１または２、請求項４のいずれかに記載の高架送電線における接地線の取付装置。
【請求項６】
二連スライド梯子の接地棒固定ガイドは、二連スライド梯子の上側に備えた上部受け鋼材に接地棒を沿わしながら該接地棒の基端部がセットされる下部受け鋼材と、接地棒をロック状態にするロックレバーと、から成る請求項１または２に記載の高架送電線における接地線の取付装置。
【請求項７】
二連スライド梯子の接地棒固定ガイドは、これを左右のいずれかにスライドさせて、最上側における左右のいずれかの上部受け鋼材に対応可能である請求項１または２、請求項６のいずれかに記載の高架送電線における接地線の取付装置。
【請求項８】
梯子固定用架台を回動させて起立させる工程と、梯子固定用架台へ二連スライド梯子を配置する工程と、先端部に接地線を固定している接地棒を二連スライド梯子の接地棒固定ガイドへセットする工程と、二連スライド梯子を伸ばし、接地棒を介して接地線を高架送電線に取り付ける工程と、梯子固定用架台が備えている振れ防止用鋼材を上方向に引き起こして接地棒の基端部側を捕縛する工程と、地上に配設している被接地金具に接地線の端部を接続する工程と、から成ることを特徴とする高架送電線における接地線の取付方法。
【請求項９】
二連スライド梯子を梯子固定用架台に沿って配置させた際に、該梯子固定用架台の可動支柱における梯子載架部に二連スライド梯子を固定する工程を含む請求項８に記載の高架送電線における接地線の取付方法。
【請求項１０】
先端部に接地線を固定している接地棒を二連スライド梯子の接地棒固定ガイドへセットする際に、接地棒固定ガイドを左右のいずれかにスライドさせて、スライド側梯子の最上側における左右のいずれかの上部受け鋼材に対応させて固定する工程を含む請求項８に記載の高架送電線における接地線の取付方法。
【請求項１１】
先端部に接地線を固定している接地棒を二連スライド梯子の接地棒固定ガイドへセットする際に、接地棒固定ガイドのロックレバーを開放させて上部受け鋼材に接地棒を沿わしながら該接地棒の基端部を接地棒固定ガイドの下部受け鋼材にセットし、接地棒固定ガイドのロックレバーをロック状態にする工程を含む請求項８または１０に記載の高架送電線における接地線の取付方法。
【請求項１２】
二連スライド梯子を伸ばし、接地棒を介して接地線を高架送電線に取り付ける際に、二連スライド梯子を伸ばして接地棒の先端部を高架送電線の接地取付可能位置まで引き上げる工程と、作業者が二連スライド梯子を登り、接地棒固定ガイドから接地棒を取り外し、接地棒の先端部に固定している接地線を高架送電線に取り付ける工程を含む請求項８に記載の高架送電線における接地線の取付方法。
【請求項１３】
接地棒の先端部に固定している接地線を高架送電線に取り付ける工程は、接地棒が先端部に備えているフックを高架送電線に引っ掛けて止めるものである請求項１２記載の高架送電線における接地線の取付方法。
【請求項１４】
最終工程として、作業者が二連スライド梯子から降りて二連スライド梯子を撤去する工程を含む請求項８に記載の高架送電線における接地線の取付方法。
【発明の詳細な説明】
【技術分野】
【０００１】
本発明は、高架送電線における受電設備の点検時において、高架送電線に接地線を取り付けるための高架送電線における接地線の取付装置と、高架送電線における接地線の取付方法に関するものである。
【背景技術】
【０００２】
従来において、受電設備を点検する際には、高架送電線に接地線を取り付ける場合がある。
【０００３】
この接地線は、以下のような働きを成している。すなわち、受電設備を点検する際には、送電を停止するのが通常である。しかし、高電圧送電線においては、当該回線の送電を停止しても、他回線からの影響を受け、当該回線に誘導電圧が発生する。また、誤って当該回線に送電してしまった場合等でも、作業員が危険にさらされてしまう。接地線は、このような危険から作業員を守り、点検時の安全を確保するものである。
【０００４】
この接地線を高架送電線に取り付ける手法としては、ビデ足場をブッシング下部に組み、その上で高架送電線に接地線を取り付ける方式や、モータによる自走式の装置を使用して高架送電線に接地線を取り付ける方式等がある。
【特許文献１】特になし
【発明の開示】
【発明が解決しようとする課題】
【０００５】
しかしながら、従来において行われていた、ビデ足場をブッシング下部に組み、その上で高架送電線に接地線を取り付ける方式では、約４ｍの高さの足場の上において、長さ５ｍ・重量９ｋｇの絶縁操作棒を使って、高架送電線に接地線を取り付けなければならず、作業の安全面に問題があった。
【０００６】
また、強固な足場を組み立てなければならず、この足場組立を実施するには、送電停止時間や事故時対策等において種々の制約があった。
【０００７】
一方、モータによる自走式の装置を使用して高架送電線に接地線を取り付ける方式では、装置自体の価格が約８００万円以上となり、接地線の取り付け作業のコストが非常に高くなっていた。
【０００８】
また、装置の重量も約１５００ｋｇ程度と非常に重いものであり、接地線の取り付け作業において負担になっていた。
【０００９】
さらに、装置を走行させるためには、約２ｍ程度の幅の平坦な通路が必要となるため、そのような場所が確保されなければ装置を使用できないという問題点を有していた。
【００１０】
そこで、本発明は如上のような従来存した諸事情に鑑み創出されたもので、先端部に接地線を固定している接地棒と、この接地棒をセット可能な接地棒固定ガイドを備えている二連スライド梯子と、二連スライド梯子を固定可能な梯子固定用架台を用いることで、接地線を高架送電線に容易且つ安全に取り付けることができ、また、接地線の取り付け作業のコストを低く抑えた高架送電線における接地線の取付装置と、高架送電線における接地線の取付方法を提供することを目的とする。
【課題を解決するための手段】
【００１１】
本発明に係る高架送電線における接地線の取付装置は、先端部に接地線を固定している接地棒をセット可能な接地棒固定ガイドを備えている二連スライド梯子と、二連スライド梯子を固定可能な梯子固定用架台と、から成ることで、上述した課題を解決した。
【００１２】
また、先端部に接地線を固定している接地棒と、この接地棒をセット可能な接地棒固定ガイドを備えている二連スライド梯子と、二連スライド梯子を固定可能な梯子固定用架台と、から成ることで、同じく上述した課題を解決した。
【００１３】
さらに、接地棒は、先端部にフックを備えていることで、同じく上述した課題を解決した。
【００１４】
また、梯子固定用架台は、二連スライド梯子を固定する梯子載架部と、接地棒の基端部側を捕縛するための振れ防止用鋼材を備えていることで、同じく上述した課題を解決した。
【００１５】
加えて、梯子固定用架台は、所定の高架送電線の下方に設置される固定支柱と、該固定支柱に対して、ウインチにより俯仰方向に回動可能である可動支柱と、から成ることで、同じく上述した課題を解決した。
【００１６】
また、二連スライド梯子の接地棒固定ガイドは、二連スライド梯子の上側に備えた上部受け鋼材に接地棒を沿わしながら該接地棒の基端部がセットされる下部受け鋼材と、接地棒をロック状態にするロックレバーと、から成ることで、同じく上述した課題を解決した。
【００１７】
この他、二連スライド梯子の接地棒固定ガイドは、これを左右のいずれかにスライドさせて、最上側における左右のいずれかの上部受け鋼材に対応可能であることで、同じく上述した課題を解決した。
【００１８】
一方、本発明に係る高架送電線における接地線の取付方法は、梯子固定用架台を回動させて起立させる工程と、梯子固定用架台へ二連スライド梯子を配置する工程と、先端部に接地線を固定している接地棒を二連スライド梯子の接地棒固定ガイドへセットする工程と、二連スライド梯子を伸ばし、接地棒を介して接地線を高架送電線に取り付ける工程と、梯子固定用架台が備えている振れ防止用鋼材を上方向に引き起こして接地棒の基端部側を捕縛する工程と、地上に配設している被接地金具に接地線の端部を接続する工程と、から成ることで、同じく上述した課題を解決した。
【００１９】
また、二連スライド梯子を梯子固定用架台に沿って配置させた際に、該梯子固定用架台の可動支柱における梯子載架部に二連スライド梯子を固定する工程を含むことで、同じく上述した課題を解決した。
【００２０】
さらに、先端部に接地線を固定している接地棒を二連スライド梯子の接地棒固定ガイドへセットする際に、接地棒固定ガイドを左右のいずれかにスライドさせて、スライド側梯子の最上側における左右のいずれかの上部受け鋼材に対応させて固定する工程を含むことで、同じく上述した課題を解決した。
【００２１】
また、先端部に接地線を固定している接地棒を二連スライド梯子の接地棒固定ガイドへセットする際に、接地棒固定ガイドのロックレバーを開放させて上部受け鋼材に接地棒を沿わしながら該接地棒の基端部を接地棒固定ガイドの下部受け鋼材にセットし、接地棒固定ガイドのロックレバーをロック状態にする工程を含むことで、同じく上述した課題を解決した。
【００２２】
加えて、二連スライド梯子を伸ばし、接地棒を介して接地線を高架送電線に取り付ける際に、二連スライド梯子を伸ばして接地棒の先端部を高架送電線の接地取付可能位置まで引き上げる工程と、作業者が二連スライド梯子を登り、接地棒固定ガイドから接地棒を取り外し、接地棒の先端部に固定している接地線を高架送電線に取り付ける工程を含むことで、同じく上述した課題を解決した。
【００２３】
また、接地棒の先端部に固定している接地線を高架送電線に取り付ける工程は、接地棒が先端部に備えているフックを高架送電線に引っ掛けて止めるものであることで、同じく上述した課題を解決した。
【００２４】
この他、最終工程として、作業者が二連スライド梯子から降りて二連スライド梯子を撤去する工程を含むことで、同じく上述した課題を解決した。
【発明の効果】
【００２５】
本発明に係る高架送電線における接地線の取付装置は、先端部に接地線を固定している接地棒をセット可能な接地棒固定ガイドを備えている二連スライド梯子と、二連スライド梯子を固定可能な梯子固定用架台と、から成ることから、接地線を高架送電線に容易且つ安全に取り付けることができる。
【００２６】
また、先端部に接地線を固定している接地棒と、この接地棒をセット可能な接地棒固定ガイドを備えている二連スライド梯子と、二連スライド梯子を固定可能な梯子固定用架台と、から成ることから、接地線の取り付け作業時間の大幅な短縮と、作業コストの大幅な削減が可能となった。
【００２７】
具体的には、接地棒固定ガイドにより、先端部に接地線を固定している接地棒を二連スライド梯子に簡単に取り付けることができる。また、梯子固定用架台により、二連スライド梯子を簡単に固定することができる。さらに、梯子固定用架台に固定した二連スライド梯子を上方に向けて伸ばすことにより、先端部に接地線を固定している接地棒を、高架送電線の位置まで僅かな時間で移動させることができる。
【００２８】
また、接地棒は、先端部にフックを備えていることから、二連スライド梯子から接地棒を取り外し、そのフックを高架送電線に引っ掛けて止めることで、接地棒を介して接地線を高架送電線に簡単に取り付けることができる。
【００２９】
加えて、梯子固定用架台は、二連スライド梯子を固定する梯子載架部を備えているので、梯子載架部に二連スライド梯子を確実に固定することができる。
【００３０】
また、梯子固定用架台は、接地棒の基端部側を捕縛するための振れ防止用鋼材を備えているので、先端部に接地線を固定している接地棒の捕縛が容易であると共に、接地棒の捕縛状態を確実に維持することができる。
【００３１】
そして、先端部に接地線を固定している接地棒を振れ防止用鋼材に捕縛することにより、高所に位置する接地棒が風の影響を受けて大きく揺れてしまう事態の発生を防止している。
【００３２】
また、接地線は、接地棒を介して高架送電線に取り付けられるが、風の影響を受けて接地棒が大きく揺れ、接地線と共に接地棒が高架送電線から落下してしまう事態の発生を確実に防止している。
【００３３】
この他、梯子固定用架台は、所定の高架送電線の下方に設置される固定支柱と、該固定支柱に対して、ウインチにより俯仰方向に回動可能である可動支柱と、から成ることから、架台を使用しないときは、架台全体をコンパクトに折り畳んでおくことができる。
【００３４】
そして、架台を使用するときは、ウインチにより可動支柱を俯仰方向に回動させ、梯子載架部を介して、可動支柱に二連スライド梯子を確実に固定することができる。
【００３５】
また、二連スライド梯子の接地棒固定ガイドは、二連スライド梯子の上側に備えた上部受け鋼材に接地棒を沿わしながら該接地棒の基端部がセットされる下部受け鋼材と、接地棒をロック状態にするロックレバーと、から成ることから、先端部に接地線を固定している接地棒を、二連スライド梯子の接地棒固定ガイドに確実に固定することができる。
【００３６】
さらに、二連スライド梯子の接地棒固定ガイドは、これを左右のいずれかにスライドできることから、最上側における左右のいずれかの上部受け鋼材に接地棒を配置したとしても、これに対応可能である。
【００３７】
一方、本発明に係る高架送電線における接地線の取付方法は、梯子固定用架台を回動させて起立させる工程と、梯子固定用架台へ二連スライド梯子を配置する工程と、先端部に接地線を固定している接地棒を二連スライド梯子の接地棒固定ガイドへセットする工程と、二連スライド梯子を伸ばし、接地棒を介して接地線を高架送電線に取り付ける工程と、梯子固定用架台が備えている振れ防止用鋼材を上方向に引き起こして接地棒の基端部側を捕縛する工程と、地上に配設している被接地金具に接地線の端部を接続する工程と、から成ることから、約１時間程度の時間で、接地線を高架送電線に取り付けることができる。
【００３８】
そのため、従来のようにビデ足場をブッシング下部に組み、その上で高架送電線に接地線を取り付ける方式や、モータによる自走式の装置を使用して高架送電線に接地線を取り付ける方式に比較して、２時間程度の時間短縮が可能となった。
【００３９】
また、新規にモータによる自走式の装置を使用する場合、通路整備等が必要となるため、約１９００万円程度の非常に高額な費用がかかってしまう。
【００４０】
これに対し、本発明に係る高架送電線における接地線の取付方法によれば、１回線当たり１５０万円程度の費用で済み、前記した従来の方式による費用の約１０分の１以下の費用で、高架送電線に接地線を取り付けることが可能となる。
【００４１】
具体的には、梯子固定用架台を回動させて起立させる工程と、梯子固定用架台へ二連スライド梯子を配置する工程を含むことで、必要に応じて梯子固定用架台を使用可能な状態とし、ここに二連スライド梯子を配置することができる。
【００４２】
また、先端部に接地線を固定している接地棒を二連スライド梯子の接地棒固定ガイドへセットする工程と、二連スライド梯子を伸ばし、接地棒を介して接地線を高架送電線に取り付ける工程を含むことで、先端部に接地線を固定している接地棒を二連スライド梯子に簡単に取り付けて、この二連スライド梯子を上方に向けて伸ばすことにより、接地棒を高架送電線の位置まで簡単に移動させることができる。
【００４３】
そして、二連スライド梯子から接地棒を取り外して高架送電線に取り付けることで、接地棒を介して接地線を高架送電線に確実に取り付けることができる。
【００４４】
また、梯子固定用架台が備えている振れ防止用鋼材を上方向に引き起こして接地棒の基端部側を捕縛する工程を含むことで、高所に位置する接地棒が風の影響を受けて、大きく揺れてしまう事態の発生を防止している。
【００４５】
さらに、接地線は接地棒を介して高架送電線に取り付けられるが、この接地棒を振れ防止用鋼材に捕縛することにより、風の影響を受けて接地棒が大きく揺れ、接地線と共に接地棒が高架送電線から落下してしまう事態の発生を確実に防止している。
【００４６】
また、地上に配設している被接地金具に接地線の端部を接続する工程を含むことで、受電設備を点検する際に、送電を停止している高電圧送電線が他回線からの影響を受けて当該回線に誘導電圧が発生した場合であっても、電位を大地に等しくさせ、高電圧送電線に過大電流が流れる事態の発生を防止している。
【００４７】
加えて、受電設備を点検する際に、誤って当該回線に送電してしまった場合等でも、高電圧送電線に過大電流が流れる事態の発生を確実に防止し、作業員が危険にさらされてしまう事態を回避して、点検時における作業員の安全を確保している。
【００４８】
また、二連スライド梯子を梯子固定用架台に沿って配置させた際に、該梯子固定用架台の可動支柱における梯子載架部に二連スライド梯子を固定する工程を含むことで、可動支柱に二連スライド梯子を確実に固定することができる。
【００４９】
この他、先端部に接地線を固定している接地棒を二連スライド梯子の接地棒固定ガイドへセットする際に、接地棒固定ガイドを左右のいずれかにスライドさせて、スライド側梯子の最上側における左右のいずれかの上部受け鋼材に対応させて固定する工程を含むことで、最上側における左右のいずれかの上部受け鋼材に接地棒を配置したとしても、これに対応可能である。
【００５０】
また、先端部に接地線を固定している接地棒を二連スライド梯子の接地棒固定ガイドへセットする際に、接地棒固定ガイドのロックレバーを開放させて上部受け鋼材に接地棒を沿わしながら該接地棒の基端部を接地棒固定ガイドの下部受け鋼材にセットし、接地棒固定ガイドのロックレバーをロック状態にする工程を含むことで、接地棒固定ガイドへ接地棒を簡単に配置し、これを確実に固定することができる。
【００５１】
さらに、二連スライド梯子を伸ばし、接地棒を介して接地線を高架送電線に取り付ける際に、二連スライド梯子を伸ばして接地棒の先端部を高架送電線の接地取付可能位置まで引き上げる工程と、作業者が二連スライド梯子を登り、接地棒固定ガイドから接地棒を取り外し、接地棒の先端部に固定している接地線を高架送電線に取り付ける工程を含むことで、高所に位置する高架送電線に、接地線を確実に取り付けることができる。
【００５２】
また、接地棒の先端部に固定している接地線を高架送電線に取り付ける工程は、接地棒が先端部に備えているフックを高架送電線に引っ掛けて止めることであるので、接地棒を介して接地線を高架送電線に簡単に取り付けることができる。
【００５３】
加えて、最終工程として、作業者が二連スライド梯子から降りて二連スライド梯子を撤去する工程を含むことで、先端部に接地線を固定している接地棒を高架送電線の位置まで移動させる等の働きを終えた二連スライド梯子を、簡単に撤去することができる。
【発明を実施するための最良の形態】
【００５４】
以下に、本発明を実施するための最良の形態を、図面を参照して説明する。
【００５５】
本発明に係る送電線路代用接地取付装置は、図１に示すように、先端部に接地線Ｅを固定している接地棒Ｑと、この接地棒Ｑをセット可能な接地棒固定ガイド７を備えている二連スライド梯子２と、二連スライド梯子２を固定可能な梯子固定用架台１と、から成る。
【００５６】
接地棒Ｑは、所定の長さを有する棒状に形成され、図１０・図１８に示すように、先端部にフックＦを備えている。接地線Ｅは、このフックＦに固定されている。
【００５７】
フックＦは、開閉可能なフック片Ｆ１を備えている。このフック片Ｆ１は、ばねの作用により、通常は閉じた状態を維持している。
【００５８】
そして、接地棒ＱのフックＦを高架送電線Ｐに取り付けるときには、図２２（ａ）に示すように、高架送電線Ｐの上方にフックＦを配置する。次に、フック片Ｆ１の先端部分を高架送電線Ｐに当て、さらに接地棒Ｑを下方に移動させると、図２２（ｂ）に示すように、フック片Ｆ１が若干開いた状態となる。その後、高架送電線Ｐは、図２２（ｃ）に示すように、フックＦの窪みＦ２に収まり、フック片Ｆ１が再び閉じた状態となって、高架送電線ＰにフックＦが取り付けられる。
【００５９】
尚、接地棒Ｑは、この接地棒Ｑを回転させることにより、フックＦが開いたり、閉じたりする機構を備えていても差し支えない。
【００６０】
また、接地棒Ｑは、図１８・図１９に示すように、基端部に捕縛用のリングを取り付けている。
【００６１】
接地棒Ｑをセット可能な梯子固定用架台１は、二連スライド梯子２を固定する梯子載架部１ｄ，１ｅと、接地棒Ｑを捕縛するための振れ防止用鋼材５を備えている。また、梯子固定用架台１は、図１に示すように、高架送電線Ｐの所定の送電線路の下方に設置される固定支柱１ａと、該固定支柱１ａに対して俯仰方向に回動可能である可動支柱１ｂと、から成る。
【００６２】
この可動支柱１ｂは、図２乃至図４に示すように、固定支柱１ａと可動支柱１ｂとの可動連結部１ｃに配したウインチＷを備えている。このウインチＷの回転ハンドルＨの巻き上げ操作により、図１（ｂ）・図６に示すように、可動支柱１ｂは上方に引き起こされ、若干仰角状に傾倒した状態で起立する。
【００６３】
また、未使用時には、図１（ａ）に示すように、可動支柱１ｂは固定支柱１ａ側に折り畳まれて、可動連結部１ｃ側の挿入孔へロックピン（図示を省略）が挿入されて固定されている。
【００６４】
使用に際しては、挿入孔からロックピンを一旦取り外してから、可動連結部１ｃを介して可動支柱１ｂを引き起こし、その後、再度ロックピンを挿入孔に挿入することで、可動支柱１ｂの傾倒が阻止された状態となって固定されるのである。
【００６５】
尚、ウインチＷは、図１３に示すように、可動連結部１ｃの一端に連結したラッチギヤＲ１に伝達ギヤＲ２が噛合され、該伝達ギヤＲ２にはラッチレバーＲの係止ピンＲ３が係架されている。そして、巻き上げ時には、ラッチレバーＲの係止ピンＲ３を伝達ギヤＲ２に係合させてロック状態にする。また、巻き戻し時には、ラッチレバーＲの係止ピンＲ３を伝達ギヤＲ２から解放させてフリー状態とする。
【００６６】
また、図５に示すように、固定支柱１ａ、可動支柱１ｂの両側には、水平アーム状の梯子載架部１ｄ，１ｅが両サイドに延設されている。そして、固定側梯子２ａとスライド側梯子２ｂとから成る二連スライド梯子２の当該固定側梯子２ａを梯子載架部１ｄに架けてから、図１６に示すように、Ｕ字形締結アーム材と蝶ネジとによる固定金具３で固定されるようになっている。
【００６７】
一方、可動支柱１ｂの上側の梯子載架部１ｅには、二連スライド梯子２が梯子固定用架台１の左右側にズレないようにするために、円板状のズレ止め金具４を設けている。
【００６８】
また、図７に示すように、可動支柱１ｂの上側の梯子載架部１ｅは、中央の回転軸を介して１８０度回動できるようにしてあり、その左右には、ズレ止め金具４を介して略Ｌ字形の振れ防止用鋼材５が一体となって延設されている。
【００６９】
この振れ防止用鋼材５は、ズレ止め金具４に挿入される下側のロックボルトを緩めることでロックが解除され、中央の回転軸を介して１８０度回動してＬ字先端側が上方側を向くように引き起こされた後、上側のロックボルトを締め付けることで固定される。
【００７０】
そして、図１９に示すように、この振れ防止用鋼材５のＬ字先端側に、接地棒Ｑがロープで捕縛されるようになっている。具体的には、接地棒Ｑの基端部に取り付けたリングと、振れ防止用鋼材５の一部とを、ロープを用いて連結するのである。
【００７１】
また、図１（ｅ）中のＡ部・図８乃至図１０に示すように、二連スライド梯子２のスライド側梯子２ｂにおける略中段には、長尺板状の接地棒固定ガイド７が二つのステップに架かるようにして固定されている。
【００７２】
すなわち、接地棒固定ガイド７は、この下面の上下対称位置に配した不図示のガイド部のそれぞれにステップが挿入して、当該ステップの左右にスライドできるように配置され、蝶ネジ６によって仮止めできるようにしている。
【００７３】
そして、蝶ネジ６を緩めてから接地棒固定ガイド７を左右のいずれかにスライドさせることで、スライド側梯子２ｂの最上側における二つのステップに左右一対となって配された合計四つの上部受け鋼材８（図１（ｅ）中のＢ部、図１１参照）に対応するようにしている。
【００７４】
また、図９・図１０に示すように、接地棒固定ガイド７の上面における下方側には、接地棒Ｑの下端を支えるための袋枠状の下部受け鋼材７ａを備え、上方側には、接地棒Ｑを保持しておくためのロックレバー７ｂを備えている。
【００７５】
このロックレバー７ｂは、左右に背を向けた状態で対向するように配置されたアングルのうち、一方側に一端が回動可能に枢着され、アングルの他方側におけるプッシュボタン７ｃの押圧操作で開放可能とした係止部７ｄに、ロックレバー７ｂのＬ字先端側が係止され、左右のアングルに架かるようにロックレバー７ｂが配置されることで、接地棒Ｑが保持されるようにしている。
【００７６】
本発明に係る高架送電線Ｐにおける接地線Ｅの取付装置を使用することにより、先端部に接地線Ｅを固定している接地棒Ｑを、二連スライド梯子２に簡単に取り付けることができる。
【００７７】
また、二連スライド梯子２を梯子固定用架台１に簡単に固定することができる。さらに、梯子固定用架台１に固定した二連スライド梯子２を上方に向けて伸ばすことにより、先端部に接地線Ｅを固定している接地棒Ｑを、高架送電線Ｐの位置まで僅かな時間で移動させることができる。
【００７８】
そして、二連スライド梯子２から接地棒Ｑを取り外し、そのフックＦを高架送電線Ｐに引っ掛けて止めることで、接地棒Ｑを介して接地線Ｅを高架送電線Ｐに簡単に取り付けることができる。
【００７９】
一方、本発明に係る送電線路代用接地取付方法は、梯子固定用架台１を回動させて起立させる工程と、梯子固定用架台１へ二連スライド梯子２を配置する工程と、先端部に接地線Ｅを固定している接地棒Ｑを二連スライド梯子２の接地棒固定ガイド７へセットする工程と、二連スライド梯子２を伸ばし、接地棒Ｑを介して接地線Ｅを高架送電線Ｐに取り付ける工程と、梯子固定用架台１が備えている振れ防止用鋼材５を上方向に引き起こして接地棒Ｑの基端部側を捕縛する工程と、地上に配設している被接地金具に接地線Ｅの端部を接続する工程と、から成る。
【００８０】
以下に、上記した各工程を詳述する。
【００８１】
（梯子固定用架台を回動させて起立させる工程）
図１（ａ）に示すように、未使用時には、梯子固定用架台１は折り畳まれた状態となっている。これを使用する際には、図１２・図１３に示すように、ロックピンを挿入孔から取り外し、ウインチＷのラッチレバーＲをロック状態としてから、梯子固定用架台１の可動支柱１ｂを、ウインチＷの回転ハンドルＨの巻き上げ回転操作により上方に向けて引き起こし、ロックピンを挿入孔に再度挿入して固定する。
【００８２】
このとき、図１（ｂ）・図１（ｃ）・図５に示すように、可動支柱１ｂは、固定支柱１ａに対し、若干仰角状に傾倒した状態で起立する。
【００８３】
（梯子固定用架台へ二連スライド梯子を配置する工程）
この工程においては、二連スライド梯子２を梯子固定用架台１に沿って配置させた際に、該梯子固定用架台１の可動支柱１ｂにおける梯子載架部１ｅに二連スライド梯子２を固定する工程を含んでいる。
【００８４】
具体的には、図１（ｄ）および図１（ｅ）、図１４乃至図１６に示すように、二連スライド梯子２を梯子固定用架台１に沿って配置し、可動支柱１ｂの上端両側にある梯子載架部１ｅのズレ止め金具４の間に二連スライド梯子２の固定側梯子２ａ上側を載架した後、二連スライド梯子２の固定側梯子２ａ下側を梯子載架部１ｄに、Ｕ字形締結アーム材と蝶ネジとによる固定金具３で固定する。
【００８５】
そして、二連スライド梯子２のスライド側梯子２ｂにおける略中段に接地棒固定ガイド７を取り付け、蝶ネジ６を緩めてから接地棒固定ガイド７を左右いずれかにスライドして、スライド側梯子２ｂの最上側における左右いずれかの上部受け鋼材８に対応させた後、蝶ネジ６を締め付け固定する。
【００８６】
（先端部に接地線を固定している接地棒を二連スライド梯子の接地棒固定ガイドへセットする工程）
この工程においては、接地棒固定ガイド７を左右のいずれかにスライドさせて、スライド側梯子２ｂの最上側における左右のいずれかの上部受け鋼材８に対応させて固定する工程を含んでいる。
【００８７】
また、接地棒固定ガイド７のロックレバー７ｂを開放させて上部受け鋼材８に接地棒Ｑを沿わしながら該接地棒Ｑの下側を接地棒固定ガイド７の下部受け鋼材７ａにセットし、接地棒固定ガイド７のロックレバー７ｂをロック状態にする工程を含んでいる。
【００８８】
具体的には、図９に示すように、プッシュボタン７ｃを押圧して係止部７ｄをロック解除することで、接地棒固定ガイド７のロックレバー７ｂを開放方向に回転させる。そして、図１０に示すように、上部受け鋼材８に接地棒Ｑを沿わしながら、当該接地棒Ｑの下側を接地棒固定ガイド７の下部受け鋼材７ａにセットする。セット後に、図８・図９に示すように、接地棒固定ガイド７のロックレバー７ｂを係止部７ｄ側に回動して、ロック状態にする。
【００８９】
（二連スライド梯子を伸ばし、接地棒を介して接地線を高架送電線に取り付ける工程）
【００９０】
この工程には、二連スライド梯子２を伸ばして接地棒Ｑの先端部を高架送電線Ｐの接地取付可能位置まで引き上げる工程と、作業者が二連スライド梯子２を登り、接地棒固定ガイド７から接地棒Ｑを取り外し、接地棒Ｑの先端部に固定している接地線Ｅを高架送電線Ｐに取り付ける工程を含んでいる。
【００９１】
接地棒Ｑを高架送電線Ｐの接地取付可能位置まで引き上げる工程は、図１（ｆ）・図１７に示すように、二連スライド梯子２の昇降スライド用ロープを手で引いて、二連スライド梯子２のスライド側梯子２ｂを接地棒Ｑごと持ち上げ、接地棒Ｑを高架送電線Ｐの接地取付可能位置まで引き上げるのである。
【００９２】
また、接地棒固定ガイド７から接地棒Ｑを取り外す工程は、図１８に示すように、作業者が安全帯を着用して二連スライド梯子２を登り、下部受け鋼材７ａのロックレバー７ｂを外して、接地棒Ｑを接地棒固定ガイド７から取り外すものである。
【００９３】
そして、接地棒Ｑの先端部に固定している接地線Ｅを高架送電線Ｐに取り付ける工程は、図１８・図２２（ｃ）に示すように、接地棒Ｑが先端部に備えているフックＦを高架送電線Ｐに引っ掛けて止めるものである。
【００９４】
（梯子固定用架台が備えている振れ防止用鋼材を上方向に引き起こして接地棒の基端部を捕縛する工程）
次に、図１９乃至図２１に示すように、振れ防止用鋼材５の下部のロックボルトを緩めてロック解除し、振れ防止用鋼材５を上方向に引き起こす。その後、上部のロックボルトを締めてから、接地棒Ｑを振れ防止用鋼材５にロープで捕縛する。
【００９５】
具体的には、図１９に示すように、接地棒Ｑの基端部に取り付けたリングと、振れ防止用鋼材５の一部とを、ロープを用いて連結するのである。
【００９６】
尚、接地棒Ｑを振れ防止用鋼材５にしっかりと固定できるものであれば、どのような捕縛手法を用いても差し支えない。
【００９７】
（地上に配設している被接地金具に接地線の端部を接続する工程）
接地棒Ｑを介して接地線Ｅを高架送電線Ｐに取り付けた後、高架送電線Ｐに吊り下げられた状態となっている接地線Ｅの端部を、地上に配設している被接地金具に接続する。
【００９８】
（作業者が二連スライド梯子から降りて二連スライド梯子を撤去する工程）
最後に、作業者は二連スライド梯子２から降りて二連スライド梯子２を撤去する。
【００９９】
上述したように、先端部に接地線Ｅを固定している接地棒Ｑと、この接地棒Ｑをセット可能な接地棒固定ガイド７を備えている二連スライド梯子２と、二連スライド梯子２を固定可能な梯子固定用架台１を使用することにより、接地棒Ｑを介して接地線Ｅを高架送電線Ｐに簡単に取り付けることができる。
【０１００】
そして、高架送電線Ｐに取り付けた接地線Ｅは、図１（ｇ）に示すように、その端部が地上に配設している被接地金具に接続される。
【０１０１】
また、接地線Ｅは、図１（ｇ）に示すように、振れ防止用鋼材５に捕縛されている接地棒Ｑによりしっかりと支えられた状態となっているため、強い風を受けた場合であっても、接地線Ｅが高架送電線Ｐから外れることがない。
【産業上の利用可能性】
【０１０２】
本発明に係る高架送電線における接地線の取付装置と、高架送電線における接地線の取付方法は、受電設備の点検を要する高架送電線にのみ使用されるものではなく、種々の高架送電線に接地線を取り付けるための装置と方法として、幅広く利用することができる。
【図面の簡単な説明】
【０１０３】
【図１】送電線路代用接地取付方法の各工程を示すもので、（ａ）は梯子固定用架台が折り畳まれている状態を示す側面図、（ｂ）は梯子固定用架台を起立させた状態を示す側面図、（ｃ）は梯子固定用架台を起立させた状態を示す正面図、（ｄ）は先端部に接地線を固定している接地棒を取り付けている二連スライド梯子を梯子固定用架台に沿って配置した状態を示す側面図、（ｅ）は先端部に接地線を固定している接地棒を取り付けている二連スライド梯子を梯子固定用架台に沿って配置した状態を示す正面図、（ｆ）は二連スライド梯子のスライド側梯子を接地棒ごと上方に向けて伸ばしている状態を示す側面図、（ｇ）は接地棒を介して接地線を高架送電線に取り付け、振れ防止用鋼材に接地棒を捕縛して二連スライド梯子を撤去した状態を示す側面図である。
【図２】梯子固定用架台の構成を示す一部拡大の斜視図である。
【図３】梯子固定用架台のウインチの回転操作前の状態を示す斜視図である。
【図４】梯子固定用架台のウインチの回転操作後の状態を示す斜視図である。
【図５】梯子固定用架台へ二連スライド梯子を組み付けた状態を示す斜視図である。
【図６】梯子固定用架台へ二連スライド梯子を組み付けた状態において、可動架台側を若干傾倒させた状態を示す斜視図である。
【図７】振れ防止用鋼材を引き上げた状態を示す斜視図である。
【図８】接地棒固定ガイドのロックレバーの構成を示す正面図である。
【図９】接地棒固定ガイドの全体構成を示す斜視図である。
【図１０】接地棒固定ガイドに接地棒をセットした状態と、接地棒のフックを高架送電線に引っ掛けて、接地棒を介して接地線を高架送電線に取り付けた状態を示す斜視図である。
【図１１】二連スライド梯子の上部受け鋼材の構成を示す斜視図である。
【図１２】二連の梯子固定用架台を起立させる作業状態を示す斜視図である。
【図１３】ウインチのロックレバーの構成を示す拡大斜視図である。
【図１４】梯子固定用架台へ二連スライド梯子を組み付けた状態を示す斜視図である。
【図１５】梯子固定用架台へ二連スライド梯子を組み付けた状態を示す全体斜視図である。
【図１６】梯子載架部への二連スライド梯子の固定状態を示す拡大斜視図である。
【図１７】二連スライド梯子を伸ばしている状態を示す斜視図である。
【図１８】作業員が二連スライド梯子から接地棒を取り外し、接地棒のフックを高架送電線に引っ掛けて、接地棒を介して接地線を高架送電線に取り付けている状態を示す斜視図である。
【図１９】振れ防止用鋼材に接地棒を捕縛した状態を示す斜視図である。
【図２０】接地棒のフックを高架送電線に引っ掛けて、接地棒を介して接地線を高架送電線に取り付け、振れ防止用鋼材に接地棒を捕縛した状態を示す斜視図である。
【図２１】接地棒のフックを高架送電線に引っ掛けて、接地棒を介して接地線を高架送電線に取り付け、高架送電線に吊り下げられた状態となっている接地線の端部を地上に配設している被接地金具に接続した状態を示す斜視図である。
【図２２】接地棒のフックを高架送電線に取り付ける状態を示し、（ａ）は高架送電線の上方にフックを配置した状態の斜視図、（ｂ）はフック片の先端部分を高架送電線に当て、さらに接地棒を下方に移動させてフック片を若干開かせた状態の斜視図、（ｃ）は高架送電線をフックの窪みに収め、フック片が再び閉じた状態の斜視図である。
【符号の説明】
【０１０４】
Ｐ…高架送電線
Ｑ…接地棒
Ｒ…ラッチレバー
Ｈ…回転ハンドル
Ｗ…ウインチ
Ｅ…接地線
Ｆ…フック
Ｆ１…フック片
Ｆ２…窪み
１…梯子固定用架台
１ａ…固定支柱
１ｂ…可動支柱
１ｃ…可動連結部
１ｄ…梯子載架部
１ｅ…梯子載架部
２…二連スライド梯子
２ａ…固定側梯子
２ｂ…スライド側梯子
３…固定金具
４…ズレ止め金具
５…振れ防止用鋼材
６…蝶ネジ
７…接地棒固定ガイド
７ａ…下部受け鋼材
７ｂ…ロックレバー
７ｃ…プッシュボタン
７ｄ…係止部
８…上部受け鋼材
【図１】
2008148441.tif 000003
【図２】
2008148441.tif 000004
【図３】
2008148441.tif 000005
【図４】
2008148441.tif 000006
【図５】
2008148441.tif 000007
【図６】
2008148441.tif 000008
【図７】
2008148441.tif 000009
【図８】
2008148441.tif 000010
【図９】
2008148441.tif 000011
【図１０】
2008148441.tif 000012
【図１１】
2008148441.tif 000013
【図１２】
2008148441.tif 000014
【図１３】
2008148441.tif 000015
【図１４】
2008148441.tif 000016
【図１５】
2008148441.tif 000017
【図１６】
2008148441.tif 000018
【図１７】
2008148441.tif 000019
【図１８】
2008148441.tif 000020
【図１９】
2008148441.tif 000021
【図２０】
2008148441.tif 000022
【図２１】
2008148441.tif 000023
【図２２】
2008148441.tif 000024